(57)【要約】      （修正有）【課題】電源供給ポート及び接地ポートを備えた電子システムにおける過渡電圧を検出するための回路を提供する。【解決手段】その回路は、コンデンサ、整流装置、予め設定された抵抗装置及び検出装置を含んでいる。本発明の一つの好ましい実施形態によれば、その検出装置はコンデンサの第二端子に接続された入力を有している。ひとたび電源供給ポートにおいて過渡電圧が発生し、かつコンデンサの第二端子での電圧が閾電圧より高い場合は、その検出装置は過渡電圧の出現を示す出力電圧を出力する。【選択図】図１
2006054988.tif 000002
【特許請求の範囲】
【請求項１】
電源供給ポート及び接地ポートを備えた電子システムにおける過渡電圧を検出する回路であって、
接地ポートに接続された第一端子、及び第二端子を有するコンデンサと、
動作順方向を有する整流装置であって、それを介してコンデンサの第二端子が電源供給ポートに接続され、その動作順方向はコンデンサの第二端子での電圧が電源供給ポートと関連するようにコンデンサに向かって配向された整流装置と、
前記回路が正常に動作するように前記回路の動作電圧を予め設定するための、コンデンサに並列に接続され、かつ予め設定された抵抗装置と、
コンデンサの第二端子に接続された入力を有し、電源供給ポートにおいて前記過渡電圧がひとたび発生し、かつコンデンサの第二端子での電圧が閾電圧よりも高い場合は、前記過渡電圧の出現を示す出力電圧を出力する検出装置とを含む回路。
【請求項２】
前記整流装置は直列に接続した複数のダイオード、又は直列に接続した複数のＭＯＳトランジスタからなる請求項１の回路。
【請求項３】
前記予め設定された抵抗装置はプログラム可能な抵抗、又はＭＯＳトランジスタである請求項１の回路。
【請求項４】
前記検出装置はインバータ、又はコンパレータである請求項１の回路。
【請求項５】
電源供給ポート及び接地ポートを備えた電子システムにおける過渡電圧を検出する回路であって、
接地ポートに接続された第一端子、及び第二端子を有するコンデンサと、
動作順方向を有する整流装置であって、それを介してコンデンサの第二端子が電源供給ポートに接続され、その動作順方向はコンデンサの第二端子での電圧が電源供給ポートと関連するように電源供給ポートに向かって配向された整流装置と、
前記回路が正常に動作するように前記回路の動作電圧を予め設定するための、整流装置に並列に接続され、かつ予め設定された抵抗装置と、
コンデンサの第二端子に接続された入力を有し、電源供給ポートにおいて前記過渡電圧がひとたび発生し、かつコンデンサの第二端子での電圧が閾電圧よりも低い場合は、前記過渡電圧の出現を示す出力電圧を出力する検出装置とを含む回路。
【請求項６】
前記整流装置は直列に接続した複数のダイオード、又は直列に接続した複数のＭＯＳトランジスタからなる請求項５の回路。
【請求項７】
前記予め設定された抵抗装置はプログラム可能な抵抗、又はＭＯＳトランジスタである請求項５の回路。
【請求項８】
前記検出装置はインバータ、又はコンパレータである請求項５の回路。
【請求項９】
電源供給ポート及び接地ポートを備えた電子システムにおける過渡電圧を検出する回路であって、
電源供給ポートに接続された第一端子、及び第二端子を有するコンデンサと、
動作順方向を有する整流装置であって、それを介してコンデンサの第二端子が接地ポートに接続され、その動作順方向はコンデンサの第二端子での電圧が接地ポートと関連するようにコンデンサに向かって配向された整流装置と、
前記回路が正常に動作するように前記回路の動作電圧を予め設定するための、整流装置に並列に接続され、かつ予め設定された抵抗装置と、
コンデンサの第二端子に接続された入力を有し、接地ポートにおいて前記過渡電圧がひとたび発生し、かつコンデンサの第二端子での電圧が閾電圧よりも高い場合は、前記過渡電圧の出現を示す出力電圧を出力する検出装置とを含む回路。
【請求項１０】
前記整流装置は直列に接続した複数のダイオード、又は直列に接続した複数のＭＯＳトランジスタからなる請求項９の回路。
【請求項１１】
前記予め設定された抵抗装置はプログラム可能な抵抗、又はＭＯＳトランジスタである請求項９の回路。
【請求項１２】
前記検出装置はインバータ、又はコンパレータである請求項９の回路。
【請求項１３】
電源供給ポート及び接地ポートを備えた電子システムにおける過渡電圧を検出する回路であって、
電源供給ポートに接続された第一端子、及び第二端子を有するコンデンサと、
動作順方向を有する整流装置であって、それを介してコンデンサの第二端子が接地ポートに接続され、その動作順方向はコンデンサの第二端子での電圧が接地ポートと関連するように接地ポートに向かって配向された整流装置と、
前記回路が正常に動作するように前記回路の動作電圧を予め設定するための、コンデンサに並列に接続され、かつ予め設定された抵抗装置と、
コンデンサの第二端子に接続された入力を有し、接地ポートにおいて前記過渡電圧がひとたび発生し、かつコンデンサの第二端子での電圧が閾電圧よりも低い場合は、前記過渡電圧の出現を示す出力電圧を出力する検出装置とを含む回路。
【請求項１４】
前記整流装置は直列に接続した複数のダイオード、又は直列に接続した複数のＭＯＳトランジスタからなる請求項１３の回路。
【請求項１５】
前記予め設定された抵抗装置はプログラム可能な抵抗、又はＭＯＳトランジスタである請求項１３の回路。
【請求項１６】
前記検出装置はインバータ、又はコンパレータである請求項１３の回路。
【発明の詳細な説明】
【技術分野】
【０００１】
本発明は電子システムにおける過渡電圧を検出するための過渡電圧検出回路に関するものである。特に、本発明に従った過渡電圧検出回路の各部品は、その電子システムの電源ポートについて関連することも、参照することもない。それゆえ、たとえ過渡電圧が発生しても、本発明に従った過渡電圧検出回路の各部品は、本来の電気的特性を維持し、次いで、その過渡電圧を早急かつ正確に検出する。
【背景技術】
【０００２】
一般の電子システム、特に集積回路は全て、サージ、グリッチ、過電圧等の好ましくない過渡電圧によるシステムの誤動作、さらにはその部品の破壊又は損傷の発生を防止するための、好ましくない過渡電圧に対する自己防御を必要としている。
【０００３】
電子システムにおける好ましくない過渡電圧に対する自己防御は、早急かつ正確に過渡電圧を検出することを目的としている。過渡電圧検出についての従来技術として、特許文献１を参照されたい。特許文献１では、過渡電圧変動を検出する機能を有する自動初期化回路が開示されている。その回路を使用することにより、電子システムの電源供給ポート及び接地ポートの間の異常な電圧変動が検出され、次いで、その電子システムは初期化される。
【特許文献１】米国特許第５９９９３９２号明細書
【発明の開示】
【発明が解決しようとする課題】
【０００４】
しかしながら、過渡電圧検出についての従来技術では、ＮＡＮＤゲート、ＮＯＲゲート及びＮＯＴゲート等の、電子システムの電源ポートについて関連、もしくは参照する部品をまだ使用している。従って、ひとたび過渡電圧が発生すると、その電子システムの電源ポートについて関連、もしくは参照する部品は、本来の電気的特性を維持できない。それゆえ、電子システムの電源ポートについて関連、もしくは参照する部品を使用する過渡電圧検出回路の正確性には不安がつきまとう。
【０００５】
従って、本発明の一つの主要な目的は過渡電圧検出回路を提供することにある。特に、本発明に従った過渡電圧検出回路の各部品は、電子システムの電源ポートについて関連することも、参照することもない。
【課題を解決するための手段】
【０００６】
本発明の主要な目的は、電子システムにおける過渡電圧を検出するための過渡電圧検出回路を提供することにある。特に、本発明に従った過渡電圧検出回路の各部品は、その電子システムの電源ポートについて関連することも、参照することもない。それゆえ、たとえ過渡電圧が発生しても、本発明に従った過渡電圧検出回路の各部品は、本来の電気的特性を維持し、次いで、その過渡電圧を早急かつ正確に検出する。
【０００７】
本発明の第一の好ましい実施形態に従った過渡電圧検出回路は、コンデンサ、整流装置、予め設定された抵抗装置及び検出装置を備えている。そのコンデンサは、接地ポートに接続された第一端子、及び第二端子を有している。その整流装置は動作順方向を有している。そのコンデンサの第二端子は、整流装置を介して、電源供給ポートに接続されており、電子システムが正常に動作する時、コンデンサの第二端子での電圧が電源供給ポートと関連するように、整流装置の動作順方向はコンデンサに向かって配向されている。その検出装置はコンデンサの第二端子に接続された入力および閾電圧を有している。ひとたび正の過渡電圧が電源供給ポートにおいて発生し、かつコンデンサの第二端子での電圧が閾電圧よりも高い場合は、検出装置は前記過渡電圧の出現を示す出力電圧を出力する。コンデンサに並列に接続され、かつ予め設定された抵抗装置は、回路が正常に動作するように回路の動作電圧を予め設定するために使用される。
【０００８】
本発明の第二の好ましい実施形態に従った過渡電圧検出回路は、コンデンサ、整流装置、予め設定された抵抗装置及び検出装置を備えている。そのコンデンサは、接地ポートに接続された第一端子、及び第二端子を有している。その整流装置は動作順方向を有している。そのコンデンサの第二端子は、整流装置を介して、電源供給ポートに接続されており、電子システムが正常に動作する時、コンデンサの第二端子での電圧が電源供給ポートと関連するように、整流装置の動作順方向は電源供給ポートに向かって配向されている。その検出装置はコンデンサの第二端子に接続された入力および閾電圧を有している。ひとたび負の過渡電圧が電源供給ポートにおいて発生し、かつコンデンサの第二端子での電圧が閾電圧よりも低い場合は、検出装置は前記過渡電圧の出現を示す出力電圧を出力する。整流装置に並列に接続され、かつ予め設定された抵抗装置は、回路が正常に動作するように回路の動作電圧を予め設定するために使用される。
【０００９】
本発明の第三の好ましい実施形態に従った過渡電圧検出回路は、コンデンサ、整流装置、予め設定された抵抗装置及び検出装置を備えている。そのコンデンサは、電源供給ポートに接続された第一端子、及び第二端子を有している。その整流装置は動作順方向を有している。そのコンデンサの第二端子は、整流装置を介して、接地ポートに接続されており、電子システムが正常に動作する時、コンデンサの第二端子での電圧が接地ポートと関連するように、整流装置の動作順方向はコンデンサに向かって配向されている。その検出装置はコンデンサの第二端子に接続された入力および閾電圧を有している。ひとたび正の過渡電圧が接地ポートにおいて発生し、かつコンデンサの第二端子での電圧が閾電圧よりも高い場合は、検出装置は前記過渡電圧の出現を示す出力電圧を出力する。整流装置に並列に接続され、かつ予め設定された抵抗装置は、回路が正常に動作するように回路の動作電圧を予め設定するために使用される。
【００１０】
本発明の第四の好ましい実施形態に従った過渡電圧検出回路は、コンデンサ、整流装置、予め設定された抵抗装置及び検出装置を備えている。そのコンデンサは、電源供給ポートに接続された第一端子、及び第二端子を有している。その整流装置は動作順方向を有している。そのコンデンサの第二端子は、整流装置を介して、接地ポートに接続されており、電子システムが正常に動作する時、コンデンサの第二端子での電圧が接地ポートと関連するように、整流装置の動作順方向は接地ポートに向かって配向されている。その検出装置はコンデンサの第二端子に接続された入力および閾電圧を有している。ひとたび負の過渡電圧が接地ポートにおいて発生し、かつコンデンサの第二端子での電圧が閾電圧よりも低い場合は、検出装置は前記過渡電圧の出現を示す出力電圧を出力する。コンデンサに並列に接続され、かつ予め設定された抵抗装置は、回路が正常に動作するように回路の動作電圧を予め設定するために使用される。
【００１１】
本発明の利点及び精神は添付図面を伴う以下の詳説により理解できよう。
【発明を実施するための最良の形態】
【００１２】
本発明は電子システムにおける過渡電圧を検出するための過渡電圧検出回路を提供する。その電子システムは、例えば集積回路のような一般的なものであり、電源供給ポート及び接地ポートを有している。本発明に従った過渡電圧検出回路は、一般の電子システム（集積回路）における電源供給ポート及び接地ポートでの正／負の過渡電圧の検出に適用できる。以下に説明する本発明の幾つかの好ましい実施形態により、本発明の精神及び特徴を指摘する。
【００１３】
第一の好ましい実施形態。
図１を参照すると、そこでは、本発明の第一の好ましい実施形態に従った過渡電圧検出回路１の基本的構造が開示されている。集積回路１は、一般の電子システム（図示略）における電源供給ポートＶＣＣでの正の過渡電圧の発生を検出するのに適用できる。
【００１４】
図１に示すように、過渡電圧検出回路１はコンデンサ１２、整流装置１４、予め設定された抵抗装置１６及び検出装置１８を備えている。
コンデンサ１２は、電子システムの接地ポートＧＮＤに接続された第一端子１２２及び整流装置１４を介して電源供給ポートＶＣＣに直列に接続された第二端子１２４を有している。
【００１５】
整流装置１４は動作順方向Ｏfor及び特性電圧Ｖforを有している。整流装置１４の動作順方向Ｏforは、電子システムが正常に動作した時、コンデンサ１２の第二端子１２４での電圧Ｖcが（ＶＣＣ−Ｖfor）に等しくなるように、コンデンサ１２に向かって配向されている。
【００１６】
検出装置１８はコンデンサ１２の第二端子１２４に接続された入力及び閾電圧Ｖthを有している。
電源供給ポートの電圧をΔＶ増加させ、かつコンデンサ１２の第二端子１２４における電圧Ｖcを（ＶＣＣ−Ｖfor＋ΔＶ）に等しくする正の過渡電圧が、電源供給ポートＶＣＣにおいてひとたび発生し、かつコンデンサ１２の第二端子１２４での電圧Ｖcが閾電圧Ｖthよりも高い場合は、検出装置１８は前記過渡電圧の出現を示す出力電圧Ｖoutを出力する。出力電圧Ｖoutにより、電子システムにおける初期化装置（図示略）は始動し、正の過渡電圧によって引き起こされる損傷から電子システムを防御する。
【００１７】
再び図１において示すように、コンデンサ１２に並列に接続され、かつ予め設定された抵抗装置１６を使用することにより、前記回路１が正常に動作するように整流装置１４に電流が流れる。予め設定された抵抗装置１６が存在しない場合は、第二端子１２４での電圧Ｖcが（ＶＣＣ−Ｖfor）よりも高くなり、回路全体の検出機能は機能しなくなる。
【００１８】
図１に示す実施形態において、整流装置１４は直列に接続した複数のダイオードからなる。別の実施形態においては、整流装置１４は直列に接続した複数のＭＯＳトランジスタからなる。
【００１９】
図１に示す実施形態において、予め設定された抵抗装置１６はプログラム可能な抵抗である。別の実施形態では、予め設定された抵抗装置１６はＭＯＳトランジスタである。予め設定された抵抗装置１６の抵抗は、過渡電圧が発生した際、電圧変化を伴ったコンデンサ１２が直ちに放電しない程に十分大きな値であるべきであると言明しておく必要がある。一般的にいえば、予め設定された抵抗装置１６の抵抗は数ＫΩより高ければよく、数ＭΩ程度の高い値であってもよい。
【００２０】
図１に示す実施形態において、検出装置１８はインバータである。別の実施形態において、検出装置１８はコンパレータ、又はその電子システムの電源ポートについて関連も、参照もしない他の検出部品である。
【００２１】
第二の好ましい実施形態。
図２を参照すると、そこでは本発明の第二の好ましい実施形態に従った過渡電圧検出回路２の基本的構造が開示されている。集積回路２は、一般の電子システム（図示略）における電源供給ポートＶＣＣでの負の過渡電圧の発生を検出するのに適用できる。
【００２２】
図２に示すように、過渡電圧検出回路２はコンデンサ２２、整流装置２４、予め設定された抵抗装置２６及び検出装置２８を備えている。
コンデンサ２２は、電子システムの接地ポートＧＮＤに接続された第一端子２２２及び整流装置２４を介して電源供給ポートＶＣＣに直列に接続された第二端子２２４を有している。
【００２３】
整流装置２４は動作順方向Ｏfor及び特性電圧Ｖforを有している。整流装置２４の動作順方向Ｏforは、電子システムが正常に動作した時、コンデンサ２２の第二端子２２４での電圧ＶcがＶＣＣに等しくなるように、電源供給ポートＶＣＣに向かって配向されている。
【００２４】
検出装置２８はコンデンサ２２の第二端子２２４に接続された入力及び閾電圧Ｖthを有している。
電源供給ポートの電圧を（Ｖfor＋ΔＶ）減少させ、かつコンデンサ２２の第二端子２２４における電圧Ｖcを（ＶＣＣ−ΔＶ）に等しくする負の過渡電圧が、電源供給ポートＶＣＣにおいてひとたび発生し、かつコンデンサ２２の第二端子２２４での電圧Ｖcが閾電圧Ｖthよりも低い場合は、検出装置２８は前記過渡電圧の出現を示す出力電圧Ｖoutを出力する。出力電圧Ｖoutにより、電子システムにおける初期化装置（図示略）は始動し、負の過渡電圧によって引き起こされる損傷から電子システムを防御する。
【００２５】
再び図２において示すように、整流装置２４に並列に接続され、かつ予め設定された抵抗装置２６を使用することにより、前記回路２が正常に動作するように第二端子２２４での電圧ＶcはＶＣＣに予め設定される。
【００２６】
図２に示す実施形態において、整流装置２４は直列に接続した複数のダイオードからなる。別の実施形態においては、整流装置２４は直列に接続した複数のＭＯＳトランジスタからなる。
【００２７】
図２に示す実施形態において、予め設定された抵抗装置２６はプログラム可能な抵抗である。別の実施形態では、予め設定された抵抗装置２６はＭＯＳトランジスタである。予め設定された抵抗装置２６の抵抗は、過渡電圧が発生した際、電圧変化を伴ったコンデンサ２２が直ちに放電しない程に十分大きな値であるべきであると言明しておく必要がある。一般的にいえば、予め設定された抵抗装置２６の抵抗は数ＫΩより高ければよく、数ＭΩ程度の高い値であってもよい。
【００２８】
図２に示す実施形態において、検出装置２８はインバータである。別の実施形態において、検出装置２８はコンパレータ、又はその電子システムの電源ポートについて関連も、参照もしない他の検出部品である。
【００２９】
第３の好ましい実施形態。
図３を参照すると、そこでは本発明の第三の好ましい実施形態に従った過渡電圧検出回路３の基本的構造が開示されている。集積回路３は、一般の電子システム（図示略）における接地ポートＧＮＤでの正の過渡電圧の発生を検出するのに適用できる。
【００３０】
図３に示すように、過渡電圧検出回路３はコンデンサ３２、整流装置３４、予め設定された抵抗装置３６及び検出装置３８を備えている。
コンデンサ３２は、電子システムの電源供給ポートＶＣＣに接続された第一端子３２２及び整流装置３４を介して接地ポートＧＮＤに直列に接続された第二端子３２４を有している。
【００３１】
整流装置３４は動作順方向Ｏfor及び特性電圧Ｖforを有している。整流装置３４の動作順方向Ｏforは、電子システムが正常に動作した時、コンデンサ３２の第二端子３２４での電圧Ｖcが０に等しくなるように、コンデンサ３２に向かって配向されている。
【００３２】
検出装置３８はコンデンサ３２の第二端子３２４に接続された入力及び閾電圧Ｖthを有している。
電源供給ポートの電圧を（Ｖfor＋ΔＶ）増加させ、かつコンデンサ３２の第二端子３２４における電圧ＶcをΔＶに等しくする正の過渡電圧が、接地ポートＧＮＤにおいてひとたび発生し、かつコンデンサ３２の第二端子３２４での電圧Ｖcが閾電圧Ｖthよりも高い場合は、検出装置３８は前記過渡電圧の出現を示す出力電圧Ｖoutを出力する。出力電圧Ｖoutにより、電子システムにおける初期化装置（図示略）は始動し、正の過渡電圧によって引き起こされる損傷から電子システムを防御する。
【００３３】
再び図３において示すように、整粒装置３４に並列に接続され、かつ予め設定された抵抗装置３６を使用することにより、前記回路３が正常に動作するように第二端子３２４での電圧Ｖcはゼロ（ＧＮＤ）に予め設定される。
【００３４】
図３に示す実施形態において、整流装置３４は直列に接続した複数のダイオードからなる。別の実施形態においては、整流装置３４は直列に接続した複数のＭＯＳトランジスタからなる。
【００３５】
図３に示す実施形態において、予め設定された抵抗装置３６はプログラム可能な抵抗である。別の実施形態では、予め設定された抵抗装置３６はＭＯＳトランジスタである。予め設定された抵抗装置３６の抵抗は、過渡電圧が発生した際、電圧変化を伴ったコンデンサ３２が直ちに放電しない程に十分大きな値であるべきであると言明しておく必要がある。一般的にいえば、予め設定された抵抗装置３６の抵抗は数ＫΩより高ければよく、数ＭΩ程度の高い値であってもよい。
【００３６】
図３に示す実施形態において、検出装置３８はインバータである。別の実施形態において、検出装置３８はコンパレータ、又はその電子システムの電源ポートについて関連も、参照もしない他の検出部品である。
【００３７】
第４の好ましい実施形態。
図４を参照すると、そこでは本発明の第四の好ましい実施形態に従った過渡電圧検出回路４の基本的構造が開示されている。集積回路４は、一般の電子システム（図示略）における接地ポートＧＮＤでの負の過渡電圧の発生を検出するのに適用できる。
【００３８】
図４に示すように、過渡電圧検出回路４はコンデンサ４２、整流装置４４、予め設定された抵抗装置４６及び検出装置４８を備えている。
コンデンサ４２は、電子システムの電源供給ポートＶＣＣに接続された第一端子４２２及び整流装置４４を介して接地ポートＧＮＤに直列に接続された第二端子４２４を有している。
【００３９】
整流装置４４は動作順方向Ｏfor及び特性電圧Ｖforを有している。整流装置４４の動作順方向Ｏforは、電子システムが正常に動作した時、コンデンサ４２の第二端子４２４での電圧ＶcがＶforに等しくなるように、接地ポートＧＮＤに向かって配向されている。
【００４０】
検出装置４８はコンデンサ４２の第二端子４２４に接続された入力及び閾電圧Ｖthを有している。
電源供給ポートの電圧をΔＶ減少させ、かつコンデンサ４２の第二端子４２４における電圧Ｖcを（Ｖfor−ΔＶ）に等しくする負の過渡電圧が、接地ポートＧＮＤにおいてひとたび発生し、かつコンデンサ４２の第二端子４２４での電圧Ｖcが閾電圧Ｖthよりも低い場合は、検出装置４８は前記過渡電圧の出現を示す出力電圧Ｖoutを出力する。出力電圧Ｖoutにより、電子システムにおける初期化装置（図示略）は始動し、負の過渡電圧によって引き起こされる損傷から電子システムを防御する。
【００４１】
再び図４において示すように、コンデンサ４２に並列に接続され、かつ予め設定された抵抗装置４６を使用することにより、前記回路４が正常に動作するように第二端子４２４での電圧ＶcはＶforに予め設定される。
【００４２】
図４に示す実施形態において、整流装置４４は直列に接続した複数のダイオードからなる。別の実施形態においては、整流装置４４は直列に接続した複数のＭＯＳトランジスタからなる。
【００４３】
図４に示す実施形態において、予め設定された抵抗装置４６はプログラム可能な抵抗である。別の実施形態では、予め設定された抵抗装置４６はＭＯＳトランジスタである。予め設定された抵抗装置４６の抵抗は、過渡電圧が発生した際、電圧変化を伴ったコンデンサ４２が直ちに放電しない程に十分大きな値であるべきであると言明しておく必要がある。一般的にいえば、予め設定された抵抗装置４６の抵抗は数ＫΩより高ければよく、数ＭΩ程度の高い値であってもよい。
【００４４】
図４に示す実施形態において、検出装置４８はインバータである。別の実施形態において、検出装置４８はコンパレータ、又はその電子システムの電源ポートについて関連も、参照もしない他の検出部品である。
【００４５】
上記例及び説明により、本発明の特徴及び精神は、願わくば十分説明されたことであろう。本発明の示唆を保持しながら、数多くの装置の修正及び変形が可能であることは、当業者であれば容易に気づくであろう。従って、本開示は添付請求項の境界及び限界によってのみ制限されるものとして構成されるべきである。
【図面の簡単な説明】
【００４６】
【図１】電子システムの電源供給ポートＶＣＣにおける正の過渡電圧の発生を検出するのに適用できる、本発明の第一の好ましい実施形態に従った過渡電圧検出回路１。
【図２】電子システムの電源供給ポートＶＣＣにおける負の過渡電圧の発生を検出するのに適用できる、本発明の第二の好ましい実施形態に従った過渡電圧検出回路２。
【図３】電子システムの接地ポートＧＮＤにおける正の過渡電圧の発生を検出するのに適用できる、本発明の第三の好ましい実施形態に従った過渡電圧検出回路３。
【図４】電子システムの接地ポートＧＮＤにおける負の過渡電圧の発生を検出するのに適用できる、本発明の第四の好ましい実施形態に従った過渡電圧検出回路４。
【図１】
2006054988.tif 000003
【図２】
2006054988.tif 000004
【図３】
2006054988.tif 000005
【図４】
2006054988.tif 000006